(57)【要約】【課題】  性格及び心的状態を判定する方法及び装置を提供する。【解決手段】  被験者の性格及びその場の心的状態を判定する方法及びその方法を実施するため、スパ又は美容トリートメントに採用されるテーマの選択に使用可能な装置に関する。上記方法及び装置において、心的状態や性格を説明するテーマや言葉は、それぞれ色と関連付けられた言葉で表現される。【選択図】図４
2015505107.tif 000002
【特許請求の範囲】
【請求項１】
被験者の性格や心的状態を判定する方法であって、
（i）言葉リストと一式の色サンプルとを集団サンプルに示すステップと、
（ii）前記集団サンプルの各構成員に、前記リストのそれぞれの言葉に関連付けられる一つの色を前記一式の色サンプルから独立して選択するよう求めるステップと、
（iii）前記集団サンプルの少なくとも５０％によって前記リストの一つの言葉に関連付けられた複数の色を特定するステップと、
（iv）前記特定された複数の色を被験者に表示し、被験者に対して前記特定された色から一つ以上の色を選択するよう求めるステップと、
（v）前記選択された一つ以上の色のそれぞれに関連付けられている前記リストからの言葉を被験者に表示するステップと、を備え、
ステップ（v）において被験者に表示された一つ以上の言葉は、この方法の実施時の前記被験者の性格及び心的状態を反映するものであることを特徴とする方法。
【請求項２】
前記被験者に対して表示される特定された色の数は、約１５−８０であることを特徴とする請求項１に記載の方法。
【請求項３】
前記被験者に対して表示される特定された色の数は、約３０−３５であることを特徴とする請求項２に記載の方法。
【請求項４】
ステップ（v）はステップ（iv）の後に実施されることを特徴とする請求項１乃至３のいずれか１項に記載の方法。
【請求項５】
ステップ（iv）及び（v）が同時に実施されることを特徴とする請求項１乃至４のいずれか１項に記載の方法。
【請求項６】
請求項１乃至５のいずれか１項に記載の方法のステップ（iv）及び（v）を実施することを特徴とする表示装置。
【請求項７】
請求項６に記載の表示装置であって、
ユーザが選択するために複数の色を表示する手段と、
前記選択された色に関連する一つ以上の言葉を表示する手段を備え、
それぞれの色は一つ以上の言葉に関連付けられ、
言葉と色との前記関連付けが、以下により決められることを特徴とする表示装置。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項８】
選択のために表示される色の数は、約１５−８０であることを特徴とする請求項７に記載の表示装置。
【請求項９】
選択のために表示される色の数は、約３０−３５であることを特徴とする請求項８に記載の表示装置。
【請求項１０】
前記集団サンプルに示される言葉リストは、美容又はスパトリートメントの根拠となる概念に関連付けられる言葉リストを含むことを特徴とする請求項７乃至９のいずれか１項に記載の表示装置。
【請求項１１】
複数の色のみが表示される第一の形態と、選択された色に関連付けられる言葉が表示される第二の形態とを有することを特徴とする請求項７乃至１０のいずれか１項に記載の表示装置。
【請求項１２】
前記第二の形態は、全ての色と言葉が同時に表示されることを特徴とする請求項１１に記載の表示装置。
【請求項１３】
前記第二の形態は、ユーザが選択した色に関連付けられる言葉のみが表示されることを特徴とする請求項１２に記載の表示装置。
【請求項１４】
色を選択する前記集団サンプルの人数は５−４０人であることを特徴とする請求項１乃至５のいずれか１項に記載の方法又は請求項６乃至１０のいずれか１項に記載の表示装置。
【請求項１５】
ステップ（iii）は、前記集団サンプルの少なくとも６０％によって前記リストの一つの言葉と関連付けられた複数の色を特定することを含むことを特徴とする請求項１乃至５のいずれか１項に記載の方法又は請求項６乃至１０のいずれか１項に記載の表示装置。
【請求項１６】
前記複数の色が表示されるチャートを備え、前記それぞれの色に関連付けられた一つの言葉を表示する手段は、前記色チャートを覆って載置されるように構成された透明フィルム又はシートであって、且つその上において、前記フィルムが前記チャートを覆うように載置されたとき、前記色及び関連付けられた言葉が同時に見えるように、前記チャートのそれぞれの色の位置において又は隣接して、前記関連付けられた言葉が表示される透明フィルム又はシートを備えることを特徴とする請求項７乃至１５のいずれか１項に記載の表示装置。
【請求項１７】
一式のロッドを備え、
ａ．各ロッドの全体又は一部が個別の色に着色され、
ｂ．前記ロッドの色に関連付けられた一つの言葉が各ロッド上に印字され、
更に前記言葉を隠す手段を備えることを特徴とする請求項７乃至１５のいずれか１項に記載の表示装置。
【請求項１８】
前記言葉を隠す手段は、言葉は隠されているが、色が見えるように前記ロッドを配設可能な容器を備えることを特徴とする請求項１７に記載の表示装置。
【請求項１９】
一式の容器を備え、各容器の外表面の全体又は一部が個別の色に着色され、前記関連付けられた言葉の表示手段は、適切な容器内に隠されている特定の色に関連付けられた言葉を含むことを特徴とする請求項７乃至１５のいずれか１項に記載の表示装置。
【請求項２０】
前記容器は引出し構造の個別の引出しを備え、それぞれの引出しの可視面の全体又は一部が個別の色に着色され、選択された色の引出しを開けると、その色に関連付けられた言葉が現れることを特徴とする請求項１９に記載の表示装置。
【請求項２１】
前記容器は、底部に凹部が形成され、各凹部は着色された蓋で覆われ、前記蓋の裏側、前記凹部の内側又は前記凹部内の適切な材料から成るシート上に前記蓋の色に関連付けられた言葉が印字されていることを特徴とする請求項１９に記載の表示装置。
【請求項２２】
個人を対象とするスパ又は美容トリートメントに使用されるテーマの選定方法であって、
前記個人に対して複数の色を表示するステップと、
前記複数の色から選択した色のサブセットを前記個人から受容するステップと、
前記サブセットの選択された色のそれぞれについて、前記選択された色に関連付けられていると特定された一つの言葉を表示するステップ、とを備え、
前記言葉は、前記トリートメントのテーマを表し、
言葉と色との前記関連付けは以下の手段で特定されることを特徴とする方法。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項２３】
前記スパ又は美容トリートメントは、マッサージ、アロマセラピー、フェイシャル又はメークアップトリートメントであることを特徴とする請求項２２に記載の方法。
【請求項２４】
個人を対象とするテーマに沿った化粧品を選択する方法であって、
前記個人に対して複数の色を表示するステップと、
前記複数の色から選択した色のサブセットを前記個人から受容するステップと、
前記サブセットの選択された色のそれぞれについて、前記選択された色に関連付けられた一つの言葉を表示するステップと、を備え、
前記言葉は、前記化粧品のテーマを表し、
言葉と色との前記関連付けは、以下の手段で決められることを特徴とする方法。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項２５】
前記化粧品は、顔、身体又は髪に塗布されるもの、もしくは浴用製品であることを特徴とする請求項２４に記載の方法。
【請求項２６】
請求項７乃至２１のいずれか１項に記載の装置を使用して、前記サブセットの色が選択されることを特徴とする請求項２２乃至２５のいずれか１項に記載の方法。
【請求項２７】
化粧品であって、前記化粧品の色が一つの言葉と関連付けられ、
前記化粧品の色は、以下の手段により選ぶことができることを特徴とする化粧品。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定し、
（iv）前記特定された色を選択する。
【請求項２８】
化粧品であって、前記化粧品の名前がその色に関連付けられ、
前記化粧品の色は、以下の手段により選ぶことができることを特徴とする化粧品。
（i）化粧品の名前を表す一つ以上の言葉リストと一式の色サンプルを集団サンプルに示し、
（ii）前記集団サンプルのそれぞれの構成員に、前記リストのそれぞれの言葉に関連付けられる一つの色を前記一式の色サンプルから独立して選択するよう求め、
（iii）前記集団サンプルの少なくとも５０％により、前記リストの一つの言葉と関連付けられた色を特定し、
（iv）前記特定された色を選択する。
【発明の詳細な説明】
【技術分野】
【０００１】
本発明は、被験者の性格及び心的状態を判定する方法及びその方法に使用される装置に関する。本発明は、更に上記の方法及び装置を利用するスパトリートメント方法及び個人が化粧品を選択するための方法及び装置の使用に関する。特に、この装置及びこれに伴う方法は、言葉と色の関連性の概念を利用する。
【背景技術】
【０００２】
カラーセラピーは何世紀にもわたって使用され、古代エジプト、中国、ギリシャ、インドで実践されてきた。実際色は、今でもアーユルヴェーダ医療の中心的な存在である。現代の色光線療法は、アーユルヴェーダ医療と関連し、身体の様々な部位や様々な体調は、異なる光の色に関連するという理論に基づき、患者を適切な色の光にあてる手法を取り入れている。色光は、被験者の心的状態に影響を及ぼしうる。例えば黄色い光は精神を刺激し、ピンクの光はリラクゼーションに役立つ。このように色光線療法は、スポーツ選手のパフォーマンスの向上に役立つものとして利用することができる。例えば赤い光は、短時間にエネルギーを一気に消費する短距離走者や、他のアスリートやスポーツ選手に有用であり、青い光は、長時間にわたりエネルギーを消費する長距離走者などの競技者の施術に使用される。
【０００３】
本発明の方法は、色と言葉のつながりに基づいている点で、色光線療法とは異なるものである。
【０００４】
特定の言葉が特定の色と関連していることがよくあるように、色と言葉とのつながりについては一般によく知られている。このように、あるグループの人々が、特定の言葉と関連性のある色の名前を答えるように求められる場合、そのグループの大半が、同じ又はよく似た色を選択することはよくある。この影響は文化に依存する場合もあるが、どのような文化においても、結果には一貫性が顕著に見られる。例えばイギリスでは通常「スピード」という言葉は赤、「自然」は緑、「幸福」は黄色に関連付けられている。このような関連性について、特にインテリアや製品設計の分野において、インターネット上での公開やウェブサイトで多く扱われている。
【発明の概要】
【発明が解決しようとする課題】
【０００５】
本発明は、スパや美容系トリートメントならびに化粧品の分野における、言葉と色との関連性に関するもので、これには個人による化粧品の選択も含まれる。このような工程やトリートメントを効果的なものとするため、その製品を選択するクライアント、あるいはそのトリートメントを実施しているクライアントごとに適合させることが必要である。従って本発明は、スパセラピーや他のトリートメントがクライアント毎にアレンジ可能となるよう、各クライアントの性格やその場の心的状態を判定する方法に関する。
【課題を解決するための手段】
【０００６】
クライアント毎にスパや美容トリートメントをアレンジするため、クライアントの性格や心的状態を理解することが重要である。人間の心的状態や情動状態は日々変化するため、スパや美容セラピストにとって、トリートメント施術時のクライアントの性格や心的状態を理解することは有用である。
【０００７】
本発明の方法に関するスパや美容トリートメントの種類は、一つ以上の概念に基づいている。このような概念は、「強さと弱さ」、「情緒面の要求」、「スキルと才能」、「要望」、「幸せにする、または悲しくさせるもの」、「成功に導くもの」などのアイデアを含む。
【０００８】
上記方法は、少なくとも二つ、好適には少なくとも三つの概念に基づくことが適切である。更に、この方法が二つあるいは三つの概念に基づいているとき、これらを関連付けることができる。例えば、第一の概念を「目的」又は「強さや弱さ」、第二の概念を「何を望むかまたは必要とするか」、第三の概念を「スキルや才能」、「欠けている資質」又は「願望」とすることができる。
【０００９】
それぞれの概念に言葉リストが用意される。これら全ての概念に同じ言葉リストを使用することができる。あるいは、それぞれの概念に対して異なる言葉リストを使用することもできる。これらの言葉は、一般にクライアントの性格や心的状態を説明する言葉であり、スパ又は美容トリートメント、もしくはクライアントが化粧品を選択する際のテーマとして使用可能である。
【００１０】
本発明において、有用な概念の種類と関連づけられる言葉の例としては、野心、美しさ、信念、穏やかさ、気楽さ、カリスマ、魅力、陽気、落ち着き、危うさ、勇気、断固とした、有能、愛想の良さ、刺激的、空想、魅惑的、勤勉、楽観的、安心、内気、洗練、思慮深さ、および活力などがあげられる。上記の例以外に、選択肢となる多くの適切な言葉があることは明らかである。
【００１１】
上記工程の次のステップにおいて、解答者群に、このような概念に関連する一つ以上の言葉リストと色チャートを示し、解答者の一人一人に、一つ以上のリストにあるそれぞれの言葉に対応する色を選ばせる。解答者群の大半は、リストのそれぞれの言葉に対して同じ又はよく似た色を選択することが明らかになっており、従って、この工程の終わりには、トリートメントの根拠となる複数の色を把握し、トリートメントの根拠となる概念を反映する一つ以上の言葉にそれぞれの色を関連付けることが可能となる。
【００１２】
使用において、クライアントはトリートメント又は製品選択の根拠とするように望む一つ以上の色を選択し、次にトリートメントの一部として、これらの色に関連付けられる言葉が提示される。
【００１３】
色の選択は、選択時点でのクライアントの性格、心的状態や情動状態を反映するもので、色と言葉との関連性により、性格、心的状態及び情動状態がその言葉で表され、適切なスパや美容セラピーが施術されるよう、セラピストの助けとなる。このような言葉は、スパや美容トリートメントのテーマとして、例えば瞑想を含むトリートメントのテーマとして使用することができる。あるいは、これらはクライアントに適した化粧品を選択する際のテーマとして使用可能である。
【００１４】
従って、本発明の第一の実施形態は、被験者の性格や心的状態を判定する方法であって、
（i）言葉リストと一式の色サンプルとを集団サンプルに示すステップと、
（ii）集団サンプルの各構成員に、前記リストのそれぞれの言葉に関連付けられる一つの色を前記一式の色サンプルから独立して選択するよう求めるステップと、
（iii）集団サンプルの少なくとも５０％によってリストの一つの言葉に関連付けられた複数の色を特定するステップと、
（iv）特定された複数の色を被験者に表示し、被験者に対して特定された色から一つ以上の色を選択するよう求めるステップと、
（v）選択された一つ以上の色のそれぞれに関連付けられているリストからの言葉を被験者に表示するステップと、を備え、
ステップ（v）において被験者に表示された一つ以上の言葉は、この方法の実施時の被験者の性格及び心的状態を反映するものであることを特徴とする。
【発明の効果】
【００１５】
従ってこの方法は、被験者に対して、その性格、心的状態、情動状態を明確にし、表現する際に役立つ言葉を提供するものである。
【図面の簡単な説明】
【００１６】
【図１】図１は、本発明にかかる装置の第一実施形態を示す。
【図２】図２は、本発明にかかる装置の別の実施形態を示す。
【図３】図３は、本発明にかかる装置の第三実施形態を示す。
【図４】図４は、本発明に係る装置の第四実施形態を示す。
【発明を実施するための形態】
【００１７】
インテリア設計や製品設計などの工程では、例えば部屋の望ましい雰囲気やテーマ、又は製品のイメージを反映する言葉から始め、その言葉に関連する色を選択することが知られている。本発明の背景となるアイデアは、上述した既知の工程とは異なっている。その理由として、本発明のアイデアは、クライアントに色を選択させ、その色と関連付けられ、クライアントが受けるトリートメントやクライアントが使用する製品の選択の基準となる概念とに関連付けられる一つの言葉又は複数の言葉のグループが示されるのである。
【００１８】
発明者らは、言葉リストと色チャートがグループの人たちに示され、それぞれの人が各言葉に対する色を選択するよう求められるという上述の選択工程を実施した。リストされたそれぞれの言葉について、グループの少なくとも５０％は同じ色を選び、特定の言葉については、更に高い割合となった。例えば、サンプルの７０％超が「魅惑的」という言葉に対してピンクの色合い（pink shade）を選択し、「情熱的」には鮮やかな深いピンク(deep vibrant pink)を、「パワー」には深紅、「美しさ」には銀色を選択した。グループの６０％超が「野心」に対して鮮やかな赤を選択した。例えば、洗練、独立又はひらめきなど、一致した意見が少ない言葉もいくつかあった。しかしこれらの言葉に対しても、グループの少なくとも５０％が同じ色を選択した。
【００１９】
このように、集団サンプルの５０％を超える構成員が選択した場合には、色と言葉に関連性があるとみなされた。
【００２０】
より適切な実施形態において、上記ステップ（iii）で、少なくとも集団の６０％によってリストの言葉と関連付けられた色が特定される場合、色と言葉との関連性があるとみなすことができる。
【００２１】
色と言葉リストとの関連性により、ユーザの色の選択は、選択時のユーザの性格、心的状態、感情、情緒及び/又は心の状態を反映する。従って関連付けられる言葉は、ユーザの性格、心的状態、感情、情緒及び心の状態を反映することになる。このため本発明の方法は、美容またはスパトリートメントにおいて、これを利用することで、トリートメント施術時のユーザの性格、心的状態、感情、情緒及び心の状態を表す言葉が得られるため、この方法は価値あるツールとなるのである。このような言葉は、例えば瞑想目的のトリートメントの一部として使用可能である。スパトリートメントでの表示装置を使用する方法の特定の例について、特定の実施形態を参照して詳細に説明する。あるいは、このような装置を小売店で使用することができる。
【００２２】
上述のように、ユーザによる色の選択は、選択時のユーザの心的状態、感情及び情緒を表している。従って、異なる時間にこのような作業が繰り返される場合、ユーザの心的状態、感情、情緒及び心の状態が相違することがあり、したがって色の選択もまた相違し、これに関連付けられる言葉も異なることになる。
【００２３】
被験者に表示される色の数は変更可能であるが、一般的に約１５−８０、通常約２０−７０、大抵約２５−４０、典型的には３０−３５であるとよい。
【００２４】
通常、一つの言葉に対して一つの色が対応するが、少数の例として、一つの言葉に一つ以上の色が対応する場合もある。例えば集団サンプルによる選択の幅が広い場合、このようなことが起こる。
【００２５】
また集団サンプルにより、一つの色に一つ以上の言葉、特に多くの言葉が関連付けられる場合は、二番目に多い色をその言葉に対して選択できる。
【００２６】
集団サンプルは少なくとも５人を含むことが好ましく、例えば５−４０人、５−１５人又は５−１０人などであるとよく、より一般的には少なくとも１０人を含むとよく、例えば１０−２０人などであるとよい。より多くの集団サンプル、例えば１５−４０人、２０−４０人、又は４０人以上の個人を含む集団サンプルが用いられる場合もある。
【００２７】
集団サンプルに示される色サンプルには、ユーザにより選択される複数の色を上回る数の色を含めることができる。例えば集団サンプルに示される色の数を、約１５−１００、より通常には約２０−８０、しばしば約２５−６０に設定して良い。色サンプルは、例えば色チャート、色カードもしくはＰａｎｔｏｎｅTMブック又はチャートなど、任意の適切なフォーマットとして良い。
【００２８】
言葉リストは、上記のようなトリートメントや工程の根拠となる概念に関連付けられる言葉リストを一つ以上としても良い。
【００２９】
本発明の一実施形態において、上記方法のステップ（v）は、ステップ（iv）の後に実施される。ただし別の実施形態において、ステップ（iv）とステップ（v）を同時に実施しても良い。
【００３０】
一般に、ステップ（i）から（iii）は、ステップ（iv）と（v）の前に実施され、本発明の方法は、被験者の性格及び心的状態を判定する方法として以下のように記載することができる。
この方法は、
個人に対して複数の色を表示し、
複数の色から選択した色のサブセットを個人から受容し、
選択されたサブセットの色のそれぞれについて、関連付けられる言葉を表示することを備え、
一つの言葉と一つの色との関連性が、以下の手段により特定されており、
（i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％によってリストの一つの言葉に関連付けられた複数の色を特定すること、ここで
被験者に表示された一つ以上の言葉は、この方法の実施時の被験者の性格及び心的状態を反映するものであることを特徴とする。
【００３１】
この種のトリートメントを実施するため、色及びこれに関連付けられる言葉の表示に適した方法を提供する必要があり、適切な表示装置を使用することで、これを達成することができる。
【００３２】
本発明の別の特徴として、本発明の方法のステップ（iv）とステップ（v）において使用される表示装置が提供される。
一般に表示装置は、
ユーザが選択するための複数の色を表示する手段と、
選択された色に関連する一つ以上の言葉を表示する手段を備え、
それぞれの色は一つ以上の言葉に関連付けられ、
一つの言葉と一つの色との関連性が、以下の手段により特定されることを特徴とする。
（i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％によってリストの一つの言葉に関連付けられた複数の色を特定する。
【００３３】
このような表示装置を、一つ以上の色を選択するユーザに提示することができる。この装置は、選択された色に関連付けられる言葉を表示する。特にステップ（i）、（ii）及び（iii）の適切な特徴は、本発明の第一の特徴の方法に関する。
【００３４】
表示される色の数は変更可能だが、一般に約１５−８０、通常約２０−７０、大抵約２５−４０、そして典型的には３０−３５が代表的な数である。
【００３５】
本発明の一実施形態において、上記装置は、言葉と色が同時に表示される単一の形態を有する。ただし、この装置が使用されるトリートメントの種類の目的により、ユーザが色を選択するまで言葉を隠しておくことが望ましい場合もある。この場合表示装置は、色のみが表示される第一の形態と、選択された色に関連付けられる言葉が表示される第二の形態とを有するようにして良い。第二の形態として、全ての色と言葉を同時に表示するような場合もある。また、第二の形態として、ユーザが選択した色に関連付けられる言葉のみが表示される場合もある。
【００３６】
この表示装置は、色と、この色に関連付けられた言葉とを表示する任意の手段として良い。このような表示装置の一例が、色が表示されているチャートである。単一の形態である実施形態では、関連する色の上、又は隣に言葉を表示することができる。
【００３７】
色が選択されるまで言葉が隠されている実施形態において、それぞれの色に関連付けられた言葉の表示手段は、色チャートを覆って載置されるように適合される透明フィルム又はシートであって、且つその上においてチャートの各色の位置にて又は隣接して、関連付けられた言葉が表示される透明フィルム又はシートを含むことができる。このように、フィルムがチャート上に載置されると、ユーザは、色と、これに関連付けられる言葉とを同時に見ることができる。従って、本実施形態は、色チャートのみが表示される第一の形態と、色チャート上にフィルムが載置され、ユーザが色とこれに関連付けられる言葉とを一緒に見ることができる第二の形態とから成る。
【００３８】
この種のチャートを、色と言葉を一緒に表示するか（単一の形態の実施例）、色のみ表示した後、色と言葉を一緒に表示させるかのいずれかとするようプログラムされたコンピュータの画面で表示させて良い。本実施形態の第二の形態において、全ての色及び言葉を同時に表示するか、あるいはユーザが選択した色に関連付けられる言葉のみを表示するかのいずれかとするようコンピュータでプログラムして良い。
【００３９】
他の実施形態において、表示装置は、一式のロッドを備え、各ロッドの全体又は一部が個別の色で着色されている構成として良い。それぞれのロッド上に、そのロッドの色に関連付けられる言葉が印字されている。この実施形態では、表示装置が言葉を隠す手段を備える構成として良い。例えば表示装置は、ロッドを収容する容器を備え、ロッドが容器内にあるときにはその言葉が隠れるようなロッド上の位置に言葉が印字されるように構成されている。色が選択されると、選択されたロッドが容器から取り出され、言葉が現れる。この種の容器は、単一の区画か、あるいは代表的なものとして、着色されたそれぞれのロッドに対応して複数の個別の区画を備えるようにしても良い。更に、この種のロッドに、これに印字された言葉を隠すスリーブ又はカバーを備え、着色されたロッドが選択された後に、これがはずれて言葉が現れるようにすることもできる。
【００４０】
このように、本発明の実施形態において、第一の形態は、着色された一式のロッドを備え、各ロッドは容器内に収容されるか、ロッドに印字された言葉が隠れるようなスリーブを備えている。第二の形態では、選択した色のロッドが容器又はスリーブからはずれ、ロッドの色に関連付けられる言葉が見えるようになっている。
【００４１】
更に別の実施形態において、複数の色の表示手段は一式の容器を備え、各容器の外表面の全体又は一部が個別の色で着色されるような構成として良い。単一の形態の実施形態では、容器の外表面に、適切な言葉が記載されたラベルを付けることができる。色が選択されるまで言葉が隠されている実施形態では、関連付けられる言葉の表示手段は、適切な容器に隠されている特定の色に関連付けられる言葉を含む構成として良い。このような言葉を、容器の内表面あるいは容器内の適切な材料からなるシートに印字して良い。このシートは、例えば紙、カード、プラスチック材料または布など、適切な任意の材料から成るものとして良い。
【００４２】
この実施形態の一例において、容器は、個別の引出しを有する構成として良い。この場合、各引出しの可視面の全体又は一部は、それぞれ個別の色に着色され、選択された色の引出しをあけることで、引出しの内表面又は引出し内部の適切な材料から成るシートに印字された、色に関連付けられる言葉が現れるような構成として良い。
【００４３】
本実施形態の別の例において、容器を、その底部に凹部を形成し、例えば木材、金属又はプラスチックなどの適切な材料から成るブロック又はホィールとして構成して良い。各凹部は、個別の色に着色された蓋が被せられ、関連付けられる言葉は、蓋の裏側や凹部の内側、又は凹部内の適切な材料から成るシート上に印字される構成として良い。
【００４４】
色と、これに関連付けられる言葉とを表示する条件を満たす、他の多くの種類の表示装置を構想することができることは言うまでもない。
【００４５】
上記のように、この装置は、被験者の性格や心的状態の判定を目的とし、トリートメントの根拠となり、被験者の性格や心的状態を反映するテーマを選択するため、スパや美容トリートメントで使用される。この装置は、トリートメントで使用される化粧品の選択に使用することもできる。従って本発明の更なる特徴は、個人を対象とするスパ又は美容トリートメントに使用されるテーマの選定方法であって、
個人に対して複数の色を表示し、
複数の色から選択した色のサブセットを個人から受容し、
選択されたサブセットの色のそれぞれについて、選択された色に関連付けられる言葉を表示することを備え、
言葉は、トリートメントのテーマを表し、
一つの言葉と一つの色との関連性が、以下の手段により特定される。
（i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％によってリストの一つの言葉に関連付けられた複数の色を特定する。
【００４６】
スパ又は美容トリートメントとは、スパ、美容院又は類似の場所で施術される任意の種類のトリートメントであり、例えばマッサージ、アロマセラピー、フェイシャル、メークアップトリートメント、フットトリートメント、美容トリートメント、ホリスティックセラピートリートメントなどを含む。
【００４７】
個人に対して表示される色の数、集団サンプルの人数、集団サンプルに提示される色サンプルの色の数などの適正値や、関連付けられる言葉に対応する色の選択方法は、本発明の第一の特徴に関する。
【００４８】
本発明の装置は、美容又はスパトリートメントで使用される適合する美容パッケージの選択、もしくは個人が家庭で使用するテーマに沿った化粧品の選択手段としても利用可能である。
【００４９】
従って本発明の更なる特徴は、個人を対象とする、目的にかなった美容パッケージ及び/又はテーマに沿った化粧品を選択する方法であって、
個人に対して複数の色を表示するステップと、
複数の色から選択した色のサブセットを個人から受容するステップと、
選択されたサブセットの色のそれぞれについて、関連付けられる言葉を表示するステップと、を備え、
言葉は、化粧品のテーマを表し、
一つの言葉と一つの色との関連性が、以下の手段により特定される。  （i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％によってリストの一つの言葉に関連付けられた複数の色を特定する。
【００５０】
化粧品は、顔、身体、髪に塗布する任意の製品、もしくは浴用製品であり、例えば肌、目元または唇の彩色、フェースパウダー、保湿またはクレンジングローション、マスクまたはフェースパックなどの美顔製品；保湿またはクレンジングクリーム、又はローション、ボディスプレーなどのボディー用製品；石けん、シャワージェル、バスフォーム、浴用硼砂、バスボムなどの浴用製品；そしてシャンプー、コンディショナー及びヘアカラー製品などの髪用製品などを含む。
【００５１】
この方法は、ユーザが家庭で使用する化粧品の選択するためこの方法を利用し、小売り環境での利用に特に適している。
【００５２】
一般にこの方法は、本発明に係る表示装置を使用して実行される。
【００５３】
このような装置は、その一使用例において、ユーザが一つ以上の色を選択した後、関連する一つ以上の言葉を探すため、本発明の装置を使用する際に役立つものである。
【００５４】
個人に表示される色の数、集団サンプルの人数、集団サンプルに示される色サンプルの色の数などの適正値や、言葉に対応する色の選択方法は、本発明の第一の特徴に関するものである。
【００５５】
本発明の表示装置は、テーマに合った化粧品の選択に使用可能であるため、以下の化粧品が提供される。この化粧品の色が言葉と関連し、化粧品の色は以下の手段により選ぶことができる。
（i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％によってリストの一つの言葉に関連付けられた複数の色を特定し、
（iv）特定された色を選択する。
【００５６】
本発明が提供する化粧品において、この化粧品の名前がその色に関連し、化粧品の色は以下の手段により選ぶことができる。
（i）言葉リストと一式の色サンプルとを集団サンプルに示し、
（ii）集団サンプルの各構成員に、前記リストのそれぞれの言葉に関連付けられる一つの色を前記一式の色サンプルから独立して選択するよう求め、
（iii）集団サンプルの少なくとも５０％により、リストの一つの化粧品名と関連付けられた複数の色を選択することにより、化粧品の色を選ぶことができる。
【００５７】
個人に対して表示される色の数、集団サンプルの人数、集団サンプルに提示される色サンプルの色の数の適正値及び言葉に関連する色の選択方法は、本発明の第一の特徴に関するものである。
【００５８】
本発明の実施形態において、以下に説明する図面を参照した例について詳細に記載する。
図１は、本発明にかかる装置の第一の実施形態を示す。
図２は、本発明にかかる装置の別の実施形態を示す。
図３は、本発明にかかる装置の第三の実施形態を示す。
図４は、本発明に係る装置の第四の実施形態を示す。
【００５９】
図１ａは、色チャート１０からなる表示装置を示し、色チャート１０は複数の色領域１４が配置されたフラットベース１２から成り、各領域１４の色はそれぞれ異なっている。ベース１２は、任意の適切な材料から構成可能だが、一般的には、厚紙又はプラスチック材料から構成される。
【００６０】
図１ｂは、ベース１２を覆うように載置することができる透明フィルム１６を示し、この透明フィルム１６の上に一連の言葉１８が印字されている。それぞれの言葉は、チャート１０上の色に関連付けられたものであり、この関連付けは解答者群に対して言葉リストと多様な色の選択肢とを示し、解答者群の各構成員に、各言葉に対して適切な色を選ぶよう求めることにより行われた。リストの各言葉は、解答者群により最も多く選択された色と関連付けられ、選択された色は、色チャート１０の構成に利用されている色である。
【００６１】
図１ｃに示されるように、言葉１８はフィルム１６上に位置し、フィルム１６がベース１２を覆うように載置されると、色領域１４のそれぞれの中心に言葉１８が現れるように構成されている。言葉１８が現れる色は、解答者群の構成員によってその言葉と関連付けられた色である。
【００６２】
本発明の他の実施形態において、フィルム１６がベース１４を覆うように載置されると、言葉１８を領域１４の上方、下方又は横に現れるように配置することができる。言葉の正確な位置は重要ではない。単純にユーザによる色領域と言葉との関連付けを可能にすることが必要である。
【００６３】
使用時、領域１４に示される色のうち一つ以上を選択するよう求められるユーザに対し、色チャート１０が提示される。色が選択されると、フィルム１６が色チャート１０を覆うように載置され、図１ｃのように、言葉１８と色領域１４が同時に見えるようになる。ユーザに対し、選択した色に対応する言葉が提示される。これらの言葉は、美容又はスパトリートメント、もしくは美容又はスパトリートメントやユーザの家庭のいずれかで使用される化粧品の選択の基準として使用される。
【００６４】
例えば、スパセラピー方法において、ユーザは、第一そして任意に第二及び／又は第三の色を選択するよう求められ、選択した色に関連付けられる言葉が提示される。
【００６５】
一実施形態において、第一の言葉は、色を選択する際のユーザの意図するもの、すなわち強さ又は弱さ、もしくは優れた資質として解釈することができる。第一の色は、関連付けられる言葉によって表現された意図又は資質を示すものとみなされることがユーザに対して説明される。
【００６６】
第二の色に関連付けられる言葉は、色の選択時にユーザがその場の心的状態で必要としたものと解釈でき、この色は、第一の色によって示される意図や資質に基づくものとみなされることがユーザに対して説明される。
【００６７】
第三の色に関連付けられる言葉は、強い願望又は欠けているが築くことができる資質と解釈でき、この色はユーザにこの旨を知らせるものである。
【００６８】
スパセラピー方法の更なる特徴は、選択された色と言葉、選択された色の製品を選ぶことについて深く考慮し、ユーザが「選択された言葉を受け入れる」ことができる点にある。
【００６９】
図２は、本発明の表示装置の他の実施形態であり、多数のスティック又はロッド２０から成る表示装置である。図２ａが示すように、各スティックは着色部２２を有し、着色部２２が、ユーザが選択可能な一つの色を表す。スティック２４の別の領域に、着色部２２の色に関連付けられる言葉２６が印字されている。言葉リストと色との関連性は、図１に関連して説明したように、解答者群の構成員によって決められる。
【００７０】
図２ｂは、複数のスティック２０を収容する容器２８を示し、各スティックについて、それぞれ個別の色が着色された着色部２２を見ることができるが、言葉２６が印字された領域２４は、容器２８内に隠されている。
【００７１】
この使用時、それぞれ色の異なる着色部２２を持つスティック２０は、図２ｂのように容器２８に収容され、ユーザは、着色部２２の色によって一本以上のスティックを選ぶよう求められる。ユーザが色を選ぶと、選択されたスティック２０が容器２８から取り外され、ユーザに対し、選択された色と関連する、領域２４に印字された言葉２６が提示される。これらの言葉は、美容又はスパトリートメント、もしくは美容又はスパトリートメントや、ユーザが家庭で使用する化粧品を選択する基準として、利用することができる。
【００７２】
上記スパセラピー方法は、本実施形態で使用可能である。ただしこの実施形態では、関連する全ての言葉が一度に見えるわけではない。従って全ての色を上記のように一度に選択可能だが、それぞれの色を個別に選択し、次の色を選択する前に、関連付けられる言葉を表示、説明することも可能である。
【００７３】
図３は、本発明の更に別の実施形態であり、この表示装置は、図３ｂに示すように、引出し３２を有するキャビネット３０からなる。各引出しの可視面３４はそれぞれ個別の色に着色され、ユーザが選択可能な複数の色の選択肢の一つを示す。引出し３２の詳細を図３ａに示す。引出し３２の内側に、その前面３４の色と関連付けられる言葉３６が印字されている。引出し３２の色と内部の言葉との関連性は、図１に関連して記載したように、解答者群の構成員によって決められる。
【００７４】
引出しがキャビネット３０におさまり、閉位置にあるときは、言葉３６を見ることはできない。図３ａの実施形態では、この言葉は引出しの裏面３８に印字されているが、これに限定されることはない。引出し３２が閉じられている間は言葉が見えないようにすれば、引出し３２の内側の面の任意の箇所に言葉を印字することができる。あるいは、言葉３６が記載されている一枚の紙、プラスチック又はカードを引出し３２に入れて、引出しをあけて取り出せるようにしても良い。
【００７５】
使用の際、引出し３２は、キャビネット３０におさまり、閉じられている。ユーザは、前面３４の色に基づき、一つ以上の引き出し３２を選択するよう求められる。ユーザが色を選択すると、選択された引出しをあけて、それぞれ選択された引出しの前部の色に関連付けられる言葉が現れるような構成となっている。これらの言葉は、美容又はスパトリートメントにおいて、もしくは美容又はスパトリートメントやユーザの家庭のいずれかで使用される化粧品の選択の基準として使用できる。
【００７６】
上記の方法を本実施形態とともに使用することができる。図３ａに示す装置において、ユーザは全ての色を一度に選択することができ、全ての色を選択後、関連付けられる言葉を表示させることができる。あるいはそれぞれの色を別々に選択し、次の色を選択する前に、選択した色と関連付けられる言葉を表示、説明しても良い。
【００７７】
図４は、本発明の更に別の実施形態を示す。図４の装置は、木で作られたブロック又はホィール４０から構成されているが、金属、プラスチックなど、他の適切な材料でも良い。ホィールは複数の円形凹部を有し、それぞれの凹部は円形の蓋４２が被されている。それぞれの蓋４２は個別の色に着色され、ユーザが選択できる複数の色の一つを示す。
【００７８】
蓋４２の色に関連付けられる言葉は、蓋の裏側か、蓋４２に覆われた凹部内に印字されている。この言葉は、蓋４２を開けると表示されるようになっている。
【００７９】
使用の際、ユーザは、色に基づき一つ以上の蓋４２を選択するよう求められる。任意の方法において色を選択する前に、ユーザがホィール４０を回すようにしても良い。ユーザが色を選択すると、選択された蓋が開けられ、それぞれの蓋の色に関連付けられる言葉が現れる。これらの言葉は、美容又はスパトリートメントもしくは美容又はスパトリートメントやユーザの家庭のいずれかで使用される化粧品の選択における基準として利用することができる。
【００８０】
上記方法を本実施形態に使用することができる。図２及び３の装置と同様に、ユーザは全ての色を一度に選択し、全ての色の選択後に、言葉を表示させるようにしても良いし、それぞれの色を別々に選択し、次の色が選択される前に対応する言葉を表示、説明しても良い。
【００８１】
以上のように、本発明の装置及び方法は、被験者の性格や心的状態の判定手段を示し、ユーザの性格や選択時の心的状態、感情及び心の状態をともに反映するような、個人に合わせたスパ又は美容製品もしくはトリートメントを選択する手段を提供する。
【００８２】
上記の記載は例であり、本発明の範囲を逸脱することなく、任意の修正が可能であることは、当業者にとって理解されることであろう。
【図１ａ】
2015505107.tif 000003
【図１ｂ】
2015505107.tif 000004
【図１ｃ】
2015505107.tif 000005
【図２ａ】
2015505107.tif 000006
【図２ｂ】
2015505107.tif 000007
【図３ａ】
2015505107.tif 000008
【図３ｂ】
2015505107.tif 000009
【図４】
2015505107.tif 000010
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
被験者の性格や心的状態を判定する方法であって、
（i）言葉リストと一式の色サンプルとを集団サンプルに示すステップと、
（ii）前記集団サンプルの各構成員に、前記リストのそれぞれの言葉に関連付けられる一つの色を前記一式の色サンプルから独立して選択するよう求めるステップと、
（iii）前記集団サンプルの少なくとも５０％によって前記リストの一つの言葉に関連付けられた複数の色を特定するステップと、
（iv）前記特定された複数の色を被験者に表示し、被験者に対して前記特定された色から一つ以上の色を選択するよう求めるステップと、
（v）前記選択された一つ以上の色のそれぞれに関連付けられている前記リストからの言葉を被験者に表示するステップと、を備え、
ステップ（v）において被験者に表示された一つ以上の言葉は、この方法の実施時の前記被験者の性格及び心的状態を反映するものであることを特徴とする方法。
【請求項２】
前記被験者に対して表示される特定された色の数は、約１５−８０であることを特徴とする請求項１に記載の方法。
【請求項３】
ステップ（iv）及び（v）が同時に実施されることを特徴とする請求項１または２に記載の方法。
【請求項４】
請求項１乃至３のいずれか１項に記載の方法のステップ（iv）及び（v）を実施することを特徴とする表示装置。
【請求項５】
請求項４に記載の表示装置であって、
ユーザが選択するために複数の色を表示する手段と、
前記選択された色に関連する一つ以上の言葉を表示する手段を備え、
それぞれの色は一つ以上の言葉に関連付けられ、
言葉と色との前記関連付けが、以下により決められることを特徴とする表示装置。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項６】
選択のために表示される色の数は、約１５−８０であることを特徴とする請求項５に記載の表示装置。
【請求項７】
前記集団サンプルに示される言葉リストは、美容又はスパトリートメントの根拠となる概念に関連付けられる言葉リストを含むことを特徴とする請求項５または６に記載の表示装置。
【請求項８】
複数の色のみが表示される第一の形態と、選択された色に関連付けられる言葉が表示される第二の形態とを有することを特徴とする請求項５乃至７のいずれか１項に記載の表示装置。
【請求項９】
色を選択する前記集団サンプルの人数は５−４０人であることを特徴とする請求項１乃至３のいずれか１項に記載の方法又は請求項４乃至８のいずれか１項に記載の表示装置。
【請求項１０】
ステップ（iii）は、前記集団サンプルの少なくとも６０％によって前記リストの一つの言葉と関連付けられた複数の色を特定することを含むことを特徴とする請求項１乃至３のいずれか１項に記載の方法又は請求項４乃至８のいずれか１項に記載の表示装置。
【請求項１１】
前記複数の色が表示されるチャートを備え、前記それぞれの色に関連付けられた一つの言葉を表示する手段は、前記色チャートを覆って載置されるように構成された透明フィルム又はシートであって、且つその上において、前記フィルムが前記チャートを覆うように載置されたとき、前記色及び関連付けられた言葉が同時に見えるように、前記チャートのそれぞれの色の位置において又は隣接して、前記関連付けられた言葉が表示される透明フィルム又はシートを備えることを特徴とする請求項４乃至１０のいずれか１項に記載の表示装置。
【請求項１２】
一式のロッドを備え、
ａ．各ロッドの全体又は一部が個別の色に着色され、
ｂ．前記ロッドの色に関連付けられた一つの言葉が各ロッド上に印字され、
更に前記言葉を隠す手段を備えることを特徴とする請求項４乃至１０のいずれか１項に記載の表示装置。
【請求項１３】
前記言葉を隠す手段は、言葉は隠されているが、色が見えるように前記ロッドを配設可能な容器を備えることを特徴とする請求項１２に記載の表示装置。
【請求項１４】
一式の容器を備え、各容器の外表面の全体又は一部が個別の色に着色され、前記関連付けられた言葉の表示手段は、適切な容器内に隠されている特定の色に関連付けられた言葉を含むことを特徴とする請求項４乃至１０のいずれか１項に記載の表示装置。
【請求項１５】
前記容器は引出し構造の個別の引出しを備え、それぞれの引出しの可視面の全体又は一部が個別の色に着色され、選択された色の引出しを開けると、その色に関連付けられた言葉が現れることを特徴とする請求項１４に記載の表示装置。
【請求項１６】
前記容器は、底部に凹部が形成され、各凹部は着色された蓋で覆われ、前記蓋の裏側、前記凹部の内側又は前記凹部内の適切な材料から成るシート上に前記蓋の色に関連付けられた言葉が印字されていることを特徴とする請求項１４に記載の表示装置。
【請求項１７】
個人を対象とするスパ又は美容トリートメントに使用されるテーマの選定方法であって、
前記個人に対して複数の色を表示するステップと、
前記複数の色から選択した色のサブセットを前記個人から受容するステップと、
前記サブセットの選択された色のそれぞれについて、前記選択された色に関連付けられていると特定された一つの言葉を表示するステップ、とを備え、
前記言葉は、前記トリートメントのテーマを表し、
言葉と色との前記関連付けは以下の手段で特定されることを特徴とする方法。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項１８】
前記スパ又は美容トリートメントは、マッサージ、アロマセラピー、フェイシャル又はメークアップトリートメントであることを特徴とする請求項１７に記載の方法。
【請求項１９】
個人を対象とするテーマに沿った化粧品を選択する方法であって、
前記個人に対して複数の色を表示するステップと、
前記複数の色から選択した色のサブセットを前記個人から受容するステップと、
前記サブセットの選択された色のそれぞれについて、前記選択された色に関連付けられた一つの言葉を表示するステップと、を備え、
前記言葉は、前記化粧品のテーマを表し、
言葉と色との前記関連付けは、以下の手段で決められることを特徴とする方法。
（i）言葉リストと一式の色サンプルとを集団サンプルに示し、
（ii）前記集団サンプルの各構成員に、前記リストのそれぞれの言葉に関連付けられる一つの色を前記一式の色サンプルから独立して選択するよう求め、
（iii）前記集団サンプルの少なくとも５０％によって前記リストの一つの言葉に関連付けられた複数の色を特定する。
【請求項２０】
前記化粧品は、顔、身体又は髪に塗布されるもの、もしくは浴用製品であることを特徴とする請求項１９に記載の方法。
【請求項２１】
請求項５乃至１６のいずれか１項に記載の装置を使用して、前記サブセットの色が選択されることを特徴とする請求項１７乃至２０のいずれか１項に記載の方法。
【国際調査報告】
2015505107.tif 000011